(57)【要約】  本発明は、ソフトウェア更新装置及びそれを用いたソフトウェア更新方法に関する。また、本発明は、インレットに緩速充電ケーブルが接続されると、その緩速充電ケーブルの制御器からＣＰラインを介して印加されるＣＰ電圧をモニタリングするＣＰモニタ部と、前記モニタリングされたＣＰ電圧を既設定されたモード切替え用電圧に切替えることにより緩速充電ケーブルの制御器にモード切替えを要請するモード切替え要請部と、緩速充電ケーブルの制御器がソフトウェア更新のためのＬＩＮ通信モードに切り替えられると、ＬＩＮ通信のためのＬＩＮトランシーバをＣＰラインに接続する通信切替え部と、前記ＬＩＮトランシーバを制御して、既保存されたソフトウェア更新用ファイルを緩速充電ケーブルの制御器に転送するようにする制御部を備えるので、緩速充電ケーブルの制御器を分解するか、破損せずに当該制御器のソフトウェアを更新することができる。【選択図】  図１
2021506029.tif 000002
【特許請求の範囲】
【請求項１】
緩速充電ケーブルのアウトレットが接続されるインレット（１１０）；
前記インレット（１１０）に緩速充電ケーブルが接続されると、該緩速充電ケーブルの制御器（１０）からＣＰ（Control Pilot）ラインを介して印加されるＣＰ電圧をモニタリングするＣＰモニタ部（１２０）；
前記モニタリングされたＣＰ電圧を既設定されたモード切替え用電圧に切替えることによって、緩速充電ケーブルの制御器（１０）にモード切替えを要請するモード切替え要請部（１３０）；
緩速充電ケーブルの制御器（１０）がソフトウェア更新のためのＬＩＮ（Local Interconnect Network）通信モードに切替えられると、ＬＩＮ通信のためのＬＩＮトランシーバ（１４５）をＣＰラインに接続する通信切替え部（１４０）；及び
前記ＬＩＮトランシーバ（１４５）を制御し、既保存されたソフトウェア更新用ファイルを緩速充電ケーブルの制御器（１０）に転送するようにする制御部（１５０）；
を含むソフトウェア更新装置。
【請求項２】
前記モード切替え要請部（１３０）は、
入力端にＣＰラインが接続され、出力端に抵抗と接地が接続されたスイッチであることを特徴とする請求項１に記載のソフトウェア更新装置。
【請求項３】
前記モード切替え要請部（１３０）は、
前記制御部（１５０）の制御下にオン／オフされ、オン状態になると、抵抗によりＣＰラインのＣＰ電圧をモード切替え用電圧に下げるように備えられたことを特徴とする請求項２に記載のソフトウェア更新装置。
【請求項４】
前記通信切替え部（１４０）は、
入力端にＣＰラインが接続され、出力端にＬＩＮトランシーバ（１４５）が接続されたスイッチであることを特徴とする請求項１に記載のソフトウェア更新装置。
【請求項５】
前記制御部（１５０）は、
前記ＬＩＮトランシーバ（１４５）がＣＰラインに接続されると、前記ＬＩＮトランシーバ（１４５）を介して緩速充電ケーブルの制御器（１０）に組み込まれたソフトウェアのバージョン確認を要請し、緩速充電ケーブルの制御器（１０）に過去バージョンのソフトウェアが組み込まれたことが確認されると、緩速充電ケーブルの制御器（１０）に更新開始メッセージを送信し、緩速充電ケーブルの制御器（１０）から正常応答を受信すると、緩速充電ケーブルの制御器（１０）にソフトウェア更新用ファイルを転送することを特徴とするソ請求項１に記載のフトウェア更新装置。
【請求項６】
スマートフォン及びパーソナルコンピュータを含む外部装置と通信し、ソフトウェア更新用ファイルを受信する通信部（１６０）をさらに含むことを特徴とする請求項１に記載のソフトウェア更新装置。
【請求項７】
前記通信部（１６０）は、
ＵＳＢ（Universal Serial Bus）通信及びシリアル通信を含む有線通信を介してソフトウェア更新用ファイルを受信するか、ブルートゥース、Ｗｉ−Ｆｉ及びＮＦＣ（Near Field Communication）通信を含む無線通信を介してソフトウェア更新用ファイルを受信することを特徴とする請求項６に記載のソフトウェア更新装置。
【請求項８】
前記緩速充電ケーブルの制御器（１０）は、
ＣＰラインを介してＣＰ電圧を印加するＣＰドライバー（１１）；ＬＩＮ通信のためのＬＩＮトランシーバ（１２）；及びＣＰラインに配置され、前記ＣＰドライバー（１１）の入力端と前記ＬＩＮトランシーバ（１２）の入力端のいずれか一つに選択的に接続されるスイッチ（１３）；
を含み、
前記緩速充電ケーブルの制御器（１０）は、モード切替え用電圧を通じてソフトウェアの更新のためのモード切替え要請を認識すると、前記ＣＰドライバー（１１）の入力端に接続された前記スイッチ（１３）を前記ＬＩＮトランシーバ（１２）に接続し、ソフトウェア更新のためのＬＩＮ通信モードに切替えられることを特徴とする請求項１に記載のソフトウェア更新装置。
【請求項９】
ソフトウェア更新装置で行われるソフトウェア更新方法であって、
（１）ＣＰモニタ部が、インレットに接続された緩速充電ケーブルの制御器からＣＰ（Control Pilot）ラインを介して印加されるＣＰ電圧をモニタリングするステップ；
（２）モード切替え要請部が、前記モニタリングされたＣＰ電圧を既設定されたモード切替え用電圧に切替えることによって、緩速充電ケーブルの制御器にモード切替えを要請するステップ；
（３）緩速充電ケーブルの制御器がソフトウェア更新のためのＬＩＮ（Local Interconnect Network）通信モードに切替えられると、通信切替え部がＬＩＮ通信のためのＬＩＮトランシーバをＣＰラインに接続するステップ；及び
（４）制御部が、前記ＬＩＮトランシーバを介して既保存されたソフトウェア更新用ファイルを緩速充電ケーブルの制御器に転送するステップ；
を含むソフトウェア更新方法。
【請求項１０】
前記ステップ（２）において、前記モード切替え要請部は、
入力端にＣＰラインが接続され、出力端に抵抗と接地が接続されたスイッチであることを特徴とする請求項９に記載のソフトウェア更新方法。
【請求項１１】
前記ステップ（２）において、前記モード切替え要請部は、
前記制御部の制御下にオン／オフされ、オン状態になると抵抗によりＣＰラインのＣＰ電圧をモード切替え用電圧に下げるように備えられたことを特徴とする請求項１０に記載のソフトウェア更新方法。
【請求項１２】
前記ステップ（３）において、前記通信切替え部は、
入力端にＣＰラインが接続され、出力端にＬＩＮトランシーバが接続されたスイッチであることを特徴とする請求項９に記載のソフトウェア更新方法。
【請求項１３】
前記ステップ（４）において、前記制御部は、
前記ＬＩＮトランシーバがＣＰラインに接続されると、前記ＬＩＮトランシーバを介して緩速充電ケーブルの制御器に組み込まれたソフトウェアのバージョン確認を要請し、緩速充電ケーブルの制御器に過去バージョンのソフトウェアが組み込まれたことが確認されると、緩速充電ケーブルの制御器に更新開始メッセージを送信し、緩速充電ケーブルの制御器から正常応答を受信すると、緩速充電ケーブルの制御器にソフトウェア更新用ファイルを転送することを特徴とする請求項９に記載のソフトウェア更新方法。
【請求項１４】
前記ステップ（１）の前に、
（Ａ）通信部がスマートフォン及びパーソナルコンピュータを含む外部装置と通信し、ソフトウェア更新用ファイルを受信するステップ；をさらに含むことを特徴とする請求項９に記載のソフトウェア更新方法。
【請求項１５】
前記ステップ（Ａ）において、前記通信部は、
ＵＳＢ（Universal Serial Bus）通信及びシリアル通信を含む有線通信を介してソフトウェア更新用ファイルを受信するか、ブルートゥース、Ｗｉ−Ｆｉ及びＮＦＣ（Near Field Communication）通信を含む無線通信を介してソフトウェア更新用ファイルを受信することを特徴とする請求項１４に記載のソフトウェア更新方法。
【発明の詳細な説明】
【技術分野】
【０００１】
本発明は、ソフトウェア更新装置及びそれを用いたソフトウェア更新方法に関するものである。
【背景技術】
【０００２】
一般に、緩速充電ケーブルに備えられる制御器（ＩＣＣＢ）（In Cable Control Box）には、制御機能などの実行のためのソフトウェアが組み込まれており、デバッガ又は通信チャネルを介してそのソフトウェアを更新できるように備えられる。前述した、デバッガを用いたソフトウェアの更新には、ＪＴＡＧ（Joint Test Action Group）インターフェースが利用されており、通信チャネルを利用する場合には、ＣＡＮ／ＵＡＲＴ（Controller Area Network/Universal Asynchronous Receiver-Transmitter）のような通信チャネルが利用されている。
【０００３】
一方、従来の緩速充電ケーブルに備えられる制御器は、防水、放電などのために外部ケースを融着するか、内部モールドされた状態で組み立てるため、製造が完了した以後にはソフトウェアを更新する過程が非常に煩わしい問題があった。
【０００４】
即ち、従来の緩速充電ケーブルに備えられる制御器は、外部ケースを壊すか、分解した後、ソフトウェアを更新し、ソフトウェアの更新が完了した後に、再び組み立てなければならいので、その過程が非常に煩わしく、制御器内部のＰＣＢ（Printed Circuit Board）又は電子部品が損傷するような状況も発生する可能性があった。
【０００５】
また、従来の緩速充電ケーブルに備えられた制御器のソフトウェアを更新する過程で製品損傷が発生する場合には、その制御器自体を交替しなければならない問題があった。
【０００６】
このような問題点を解決するために、従来の緩速充電ケーブルに備えられた制御器に、無線通信モジュールを搭載し、無線通信を介してソフトウェアを更新する移動型ｘＥＶ充電器が開発されたが、無線通信モジュールの搭載によって製造費用が大きく増加すると共に、内部回路構造が複雑になり、アンテナなどの搭載により製品サイズが制限される問題があった。
【０００７】
従って、緩速充電ケーブルに備えられた制御器を分解するか、破損せずに、ソフトウェアの更新が可能にする同時に、簡単な回路構造と製造費用の増加を最小化することができる技術の開発が求められている。
【発明の概要】
【発明が解決しようとする課題】
【０００８】
本発明は、前記のような問題を解決するために案出されたものであり、緩速充電ケーブルの制御器を分解するか、破損せずに、緩速充電ケーブルのアウトレットに接続した状態で、ソフトウェアを更新可能なソフトウェア更新装置及びそれを用いたソフトウェア更新方法を提供することに目的がある。
【０００９】
本発明の目的は、以上で言及した目的に制限されなく、言及されなかった別の目的は以下の記載から当業者に明確に理解されるはずであろう。
【課題を解決するための手段】
【００１０】
前記のような目的を達成するための本発明は、緩速充電ケーブルのアウトレットが接続されるインレット（１１０）；前記インレット（１１０）に緩速充電ケーブルが接続されると、該緩速充電ケーブルの制御器（１０）からＣＰ（Control Pilot）ラインを介して印加されるＣＰ電圧をモニタリングするＣＰモニタ部（１２０）；前記モニタリングされたＣＰ電圧を既設定されたモード切替え用電圧に切替えることによって、緩速充電ケーブルの制御器（１０）にモード切替えを要請するモード切替え要請部（１３０）；緩速充電ケーブルの制御器（１０）がソフトウェア更新のためのＬＩＮ（Local Interconnect Network）通信モードに切替えられると、ＬＩＮ通信のためのＬＩＮトランシーバ（１４５）をＣＰラインに接続する通信切替え部（１４０）；及び前記ＬＩＮトランシーバ（１４５）を制御し、既保存されたソフトウェア更新用ファイルを緩速充電ケーブルの制御器（１０）に転送するようにする制御部（１５０）；を含むソフトウェア更新装置を提供する。
【００１１】
好ましい実施例において、前記モード切替え要請部（１３０）は、入力端にＣＰラインが接続され、出力端に抵抗と接地が接続されたスイッチである。
【００１２】
好ましい実施例において、前記モード切替え要請部（１３０）は、前記制御部（１５０）の制御下にオン／オフされ、オン状態になると抵抗によりＣＰラインのＣＰ電圧をモード切替え用電圧に下げるように備えられる。
【００１３】
好ましい実施例において、前記通信切替え部（１４０）は、入力端にＣＰラインが接続し、出力端にＬＩＮトランシーバ（１４５）が接続されたスイッチである。
【００１４】
好ましい実施例において、前記制御部（１５０）は、前記ＬＩＮトランシーバ（１４５）がＣＰラインに接続されると、前記ＬＩＮトランシーバ（１４５）を介して緩速充電ケーブルの制御器（１０）に組み込まれたソフトウェアのバージョン確認を要請し、緩速充電ケーブルの制御器（１０）に過去バージョンのソフトウェアが組み込まれたことが確認されると、緩速充電ケーブルの制御器（１０）に更新開始メッセージを送信し、緩速充電ケーブルの制御器（１０）から正常応答を受信すると、緩速充電ケーブルの制御器（１０）にソフトウェア更新用ファイルを転送する。
【００１５】
好ましい実施例において、スマートフォン及びパーソナルコンピュータを含む外部装置と通信し、ソフトウェア更新用ファイルを受信する通信部（１６０）；をさらに含む。
【００１６】
好ましい実施例において、前記通信部（１６０）は、ＵＳＢ（Universal Serial Bus）通信及びシリアル通信を含む有線通信を介してソフトウェア更新用ファイルを受信するか、ブルートゥース（登録商標）、Ｗｉ−Ｆｉ及びＮＦＣ（Near Field Communication）通信を含む無線通信を介してソフトウェア更新用ファイルを受信する。
【００１７】
好ましい実施例において、前記緩速充電ケーブルの制御器（１０）は、ＣＰラインを介してＣＰ電圧を印加するＣＰドライバー（１１）；ＬＩＮ通信のためのＬＩＮトランシーバ（１２）；及びＣＰラインに配置され、前記ＣＰドライバー（１１）の入力端と前記ＬＩＮトランシーバ（１２）の入力端のいずれか一つに選択的に接続されるスイッチ（１３）；を含み、前記緩速充電ケーブルの制御器（１０）は、モード切替え用電圧を通じてソフトウェアの更新のためのモード切替え要請を認識すれば、前記ＣＰドライバー（１１）の入力端に接続された前記スイッチ（１３）を前記ＬＩＮトランシーバ（１２）に接続し、ソフトウェア更新のためのＬＩＮ通信モードに切替えられる。
【００１８】
また、本発明は、ソフトウェア更新装置で行われるソフトウェア更新方法であって、  （１）ＣＰモニタ部が、インレットに接続された緩速充電ケーブルの制御器からＣＰ（Control Pilot）ラインを介して印加されるＣＰ電圧をモニタリングするステップ；（２）モード切替え要請部が、前記モニタリングされたＣＰ電圧を既設定されたモード切替え用電圧に切替えることによって、緩速充電ケーブルの制御器にモード切替えを要請するステップ；（３）緩速充電ケーブルの制御器がソフトウェア更新のためのＬＩＮ（Local Interconnect Network）通信モードに切替えられると、通信切替え部がＬＩＮ通信のためのＬＩＮトランシーバをＣＰラインに接続するステップ；及び  （４）制御部が、前記ＬＩＮトランシーバを介して既保存されたソフトウェア更新用ファイルを緩速充電ケーブルの制御器に転送するステップ；を含むソフトウェア更新方法を提供する。
【００１９】
好ましい実施例において、前記ステップ（２）において、前記モード切替え要請部は、入力端にＣＰラインが接続され、出力端に抵抗と接地が接続されたスイッチである。
【００２０】
好ましい実施例において、前記ステップ（２）において、前記モード切替え要請部は、前記制御部の制御下にオン／オフされ、オン状態になると抵抗によりＣＰラインのＣＰ電圧をモード切替え用電圧に下げるように備えられる。
【００２１】
好ましい実施例において、前記ステップ（３）において、前記通信切替え部は、入力端にＣＰラインが接続され、出力端にＬＩＮトランシーバが接続されたスイッチである。
【００２２】
好ましい実施例において、前記ステップ（４）において、前記制御部は、前記ＬＩＮトランシーバがＣＰラインに接続されると、前記ＬＩＮトランシーバを介して緩速充電ケーブルの制御器に組み込まれたソフトウェアのバージョン確認を要請し、緩速充電ケーブルの制御器に過去バージョンのソフトウェアが組み込まれたことが確認されると、緩速充電ケーブルの制御器に更新開始メッセージを送信し、緩速充電ケーブルの制御器から正常応答を受信すると、緩速充電ケーブルの制御器にソフトウェア更新用ファイルを転送する。
【００２３】
好ましい実施例において、前記ステップ（１）の前に、（Ａ）通信部がスマートフォン及びパーソナルコンピュータを含む外部装置と通信し、ソフトウェア更新用ファイルを受信するステップ；をさらに含む。
【００２４】
好ましい実施例において、前記ステップ（Ａ）において、前記通信部は、ＵＳＢ（Universal Serial Bus）通信及びシリアル通信を含む有線通信を介してソフトウェア更新用ファイルを受信するか、ブルートゥース、Ｗｉ−Ｆｉ及びＮＦＣ（Near Field Communication）通信を含む無線通信を介してソフトウェア更新用ファイルを受信する。
【発明の効果】
【００２５】
前述した問題解決手段により、本発明は、インレットに緩速充電ケーブルが接続されると、その緩速充電ケーブルの制御器からＣＰラインを介して印加されるＣＰ電圧をモニタリングするＣＰモニタ部と、前記モニタリングされたＣＰ電圧を既設定されたモード切替え用電圧に切替えることによって、緩速充電ケーブルの制御器にモード切替えを要請するモード切替え要請部と、緩速充電ケーブルの制御器がソフトウェア更新のためのＬＩＮ通信モードに切り替えられると、ＬＩＮ通信のためのＬＩＮトランシーバをＣＰラインに接続する通信切替え部と、前記ＬＩＮトランシーバを制御して既保存されたソフトウェア更新用ファイルを緩速充電ケーブルの制御器に転送するようにする制御部とを備えるので、緩速充電ケーブルの制御器を分解するか、破損せいずに、当該制御器のソフトウェアを更新することできる効果がある。
【図面の簡単な説明】
【００２６】
【図１】本発明の一実施例によるソフトウェア更新装置を説明するための図である。
【図２】ソフトウェア更新装置において、モード切替え要請のための動作状態を説明するための図である。
【図３】ソフトウェア更新装置において、ソフトウェア更新用ファイルの転送のための動作状態を説明するための図である。
【図４】本発明の一実施例によるソフトウェア更新方法を説明するための図である。
【発明を実施するための最良の形態】
【００２７】
下記説明において、本発明の特定詳細が本発明の全般的な理解を提供するために現しめされているが、また、これら特定詳細ではなく、これらの変形によっても本発明が容易に実施することができることは、この技術分野で通常の知識を有した者に自明であろう。
【００２８】
以下、本発明による好ましい実施例を添付された図１ 〜図４を参照して詳細に説明する。本発明による動作及び作用を理解するのに必要な部分を中心に説明する。
【００２９】
図１は、本発明の一実施例によるソフトウェア更新装置を説明するための図であり、図２は、ソフトウェア更新装置において、モード切替え要請のための動作状態を説明するための図であり、図３は、ソフトウェア更新装置において、ソフトウェア更新用ファイルの転送のための動作状態を説明するための図である。
【００３０】
図１〜図３を参照すれば、本発明の一実施例によるソフトウェア更新装置１００は、インレット１１０、ＣＰモニタ部１２０、モード切替え要請部１３０、通信切替え部１４０、制御部１５０及び通信部１６０を含んで構成される。
【００３１】
前記インレット１１０は、緩速充電ケーブルを接続するためのものであり、緩速充電ケーブルのアウトレットが接続するように備えられる。このような、インレット１１０には、緩速充電ケーブルのＣＰ（CONTROL PILOT）ラインが接続されるＣＰ端子が備えられる。
【００３２】
前記ＣＰモニタ部１２０は、ＣＰ電圧のモニタリングのためのものであり、インレット１１０に緩速充電ケーブルが接続されると、その緩速充電ケーブルの制御器１０からＣＰラインを介して印加されるＣＰ電圧をモニタリングする機能を行う。
【００３３】
即ち、ＣＰモニタ部１２０は、後記する制御部１５０が、緩速充電ケーブルの接続の有無を確認できるようにする。さらに、ＣＰモニタ部１２０は、後記するモード切替え要請部１３０により変更されるＣＰラインの電圧をモニタリングすることができる。
【００３４】
前記モード切替え要請部１３０は、緩速充電ケーブルの制御器１０にモード切替えを要請するためのものであり、ＣＰ電圧を既設定されたモード切替え用電圧に切替える機能を果たす。このような、モード切替え要請部１３０は、入力端にＣＰラインが接続され、出力端に抵抗と接地が接続されたスイッチで備えられ、後記する制御部１５０の制御下にオン／オフできるように備えられる。
【００３５】
また、図２に示されるように、モード切替え要請部１３０は、オン状態になると抵抗により、ＣＰラインのＣＰ電圧をモード切替え用電圧に下げることになるが、このとき、緩速充電ケーブルの制御器１０も、その内部に備えられ、ＣＰラインに配置され、ＣＰドライバー１１の入力端とＬＩＮトランシーバ１２の入力端のいずれかに選択的に接続されるスイッチ１３がＣＰドライバー（CONTROL PILOT DRIVER）１１に接続された状態であってもよい。
【００３６】
即ち、モード切替え要請部１３０の出力端に接続された抵抗と、緩速充電ケーブルの制御器１０内部でＣＰドライバー１１の入力端に接続された抵抗とにより、ＣＰラインの電圧がモード切替え用電圧に降下される。
【００３７】
一方、緩速充電ケーブルの制御器１０は、モード切替え用電圧を通じてソフトウェアの更新のためのモード切替え要請を認識し、ＣＰドライバー１１の入力端に接続されたスイッチ１３をＬＩＮトランシーバ（LIN Transceiver）１２に接続することによって、ソフトウェア更新のためのＬＩＮ（Local Interconnect Network）通信モードに切替えることになる。
【００３８】
前記通信切替え部１４０は、緩速充電ケーブルの制御器１０がソフトウェア更新のためのＬＩＮ通信モードに切替えられると、ＬＩＮ通信のためのＬＩＮトランシーバ１４５をＣＰラインに接続する機能を果たす。
【００３９】
例えば、図３に示されるように、通信切替え部１４０は、入力端にＣＰラインが接続され、出力端にＬＩＮトランシーバ１４５が接続されたスイッチで備えられ、後記する制御部１５０の制御下にオン状態になることで、ＬＩＮトランシーバ１４５と緩速充電ケーブルの制御器１０内部のＬＩＮトランシーバが互いに接続されるようにする。
【００４０】
即ち、緩速充電ケーブルの制御器１０にソフトウェア更新用ファイルを転送することができるようになる。
【００４１】
前記制御部１５０は、装置全般を制御するものであり、特に、ＬＩＮトランシーバ１４５を制御し、既保存されたソフトウェア更新用ファイルを緩速充電ケーブルの制御器１０に転送する機能を果たす。さらに、制御部１５０は、モード切替え要請部１３０と通信切替え部１４０をオン／オフする機能を果たすことができる。
【００４２】
また、制御部１５０は、ＬＩＮトランシーバ１４５がＣＰラインに接続されると、まず、ＬＩＮトランシーバ１４５を介して緩速充電ケーブルの制御器１０に組み込まれたソフトウェアのバージョン確認を要請し、緩速充電ケーブルの制御器１０に過去バージョンのソフトウェアが組み込まれたことが確認されると、緩速充電ケーブルの制御器１０に更新開始メッセージを送信し、緩速充電ケーブルの制御器１０から正常応答を受信すると、緩速充電ケーブルの制御器１０にソフトウェア更新用ファイルを転送する過程を行い、緩速充電ケーブルの制御器１０に組み込まれたソフトウェアを更新することができる。
【００４３】
そして、制御部１５０は、緩速充電ケーブルの制御器１０に組み込まれたソフトウェアのバージョン確認を再び要請し、新規バージョンのソフトウェアが正常に組み込まれた否かを確認するように備えられる。
【００４４】
前記通信部１６０は、スマートフォン及びパーソナルコンピュータを含む外部装置と通信して、ソフトウェア更新用ファイルを受信するためのものであり、ＵＳＢ（Universal Serial Bus）通信及びシリアル通信を含む有線通信を介してソフトウェア更新用ファイルを受信するか、ブルートゥース、Ｗｉ−Ｆｉ及びＮＦＣ（Near Field Communication）通信を含む無線通信を介してソフトウェア更新用ファイルを受信するように備えられる。
【００４５】
一方、通信部１６０で受信されるソフトウェア更新用ファイルは、制御部１５０に備えられたメモリーに保存されるか、別途備えられたメモリー又は保存手段に保存され得る。
【００４６】
従って、本発明の一実施例によるソフトウェア更新装置１００は、ＣＰラインを介して緩速充電ケーブルの制御器１０にソフトウェア更新用ファイルを転送することによって、緩速充電ケーブルの制御器１０を分解するか、破損せいずに、当該制御器１０のソフトウェアを更新することができる。
【００４７】
図４は、本発明の一実施例によるソフトウェア更新方法を説明するための図である。
【００４８】
図４を参照して、本発明の一実施例によるソフトウェア更新装置で行われるソフトウェア更新方法を説明する。
【００４９】
但し、図４に示されたソフトウェア更新方法で行われる機能は、いずれも図１〜図３を参照して説明したソフトウェア更新装置で行われるので、明示的な説明がなくても、図１〜図３を参照して説明した全ての機能は、本発明の好ましい実施例によるソフトウェア更新方法で行われる。図４を参照して説明する全ての機能は、本発明の好ましい実施例によるソフトウェア更新装置でそのまま行われることを注意しなければならない。
【００５０】
まず、通信部が、スマートフォン及びパーソナルコンピュータを含む外部装置と通信して、ソフトウェア更新用ファイルを受信する（Ｓ１１０）。
【００５１】
このとき、通信部で受信されるソフトウェア更新用ファイルは、制御部に備えられたメモリーに保存されるか、別途備えられたメモリー又は保存手段に保存され得る。
【００５２】
さらに、通信部は、ＵＳＢ（Universal Serial Bus）通信及びシリアル通信を含む有線通信を介してソフトウェア更新用ファイルを受信するか、ブルートゥース、Ｗｉ−Ｆｉ及びＮＦＣ（Near Field Communication）通信を含む無線通信を介してソフトウェア更新用ファイルを受信することができる。
【００５３】
次に、ＣＰモニタ部がインレットに接続された緩速充電ケーブルの制御器からＣＰ（CONTROL PILOT）ラインを介して印加されるＣＰ電圧をモニタリングする（Ｓ１２０）。
【００５４】
このとき、ＣＰ電圧のモニタリングの有無に応じて、ソフトウェア更新装置のインレットに緩速充電ケーブルのアウトレットが接続されているか否かを確認することができる。
【００５５】
その後、モード切替え要請部が、ＣＰ電圧を既設定されたモード切替え用電圧に切替え、緩速充電ケーブルの制御器にモード切替えを要請する（Ｓ１３０）。
【００５６】
このとき、モード切替え要請部は、制御部の制御下にオン／オフされ、その入力端にＣＰラインが接続され、出力端に抵抗と接地が接続されたスイッチで備えられ、オン状態になると抵抗によりＣＰラインのＣＰ電圧をモード切替え用電圧に下げることができる。
【００５７】
その後、通信切替え部が、ＬＩＮ（Local Interconnect Network）通信のためのＬＩＮトランシーバをＣＰラインに接続する（Ｓ１４０）。
【００５８】
このとき、緩速充電ケーブルの制御器は、モード切替え要請によりソフトウェア更新のためのＬＩＮ通信モードに切替えられた状態であり、通信切替え部によってＬＩＮトランシーバをＣＰラインに接続し、緩速充電ケーブルの制御器とＬＩＮ通信を介してデータの送受信が可能になる。
【００５９】
そのために、通信切替え部は、入力端にＣＰラインが接続され、出力端にＬＩＮトランシーバが接続されたスイッチで備えられる。
【００６０】
その後、制御部が、ＬＩＮトランシーバを介して既保存されたソフトウェア更新用ファイルを緩速充電ケーブルの制御器に転送する（Ｓ１５０）。
【００６１】
このとき、制御部は、ＬＩＮトランシーバがＣＰラインに接続されると、そのＬＩＮトランシーバを介して緩速充電ケーブルの制御器に組み込まれたソフトウェアのバージョン確認を要請し、緩速充電ケーブルの制御器に過去バージョンのソフトウェアが組み込まれたかを確認することができる。
【００６２】
また、制御部は、緩速充電ケーブルの制御器に更新開始メッセージを送信した後、緩速充電ケーブルの制御器から正常応答を受信すると、緩速充電ケーブルの制御器にソフトウェア更新用ファイルを転送することができる。
【００６３】
さらに、制御部は、緩速充電ケーブルの制御器にソフトウェア更新用ファイルの転送が完了し、緩速充電ケーブルの制御器によってソフトウェアの更新が完了した後、緩速充電ケーブルの制御器にソフトウェアのバージョン確認を再び要請し、新規バージョンのソフトウェアが正常に組み込まれたかを確認することもできる。
【００６４】
以上では、本発明の好ましい実施例を例示的に説明したが、本発明の範囲は、このような特定実施例のみに限定されなく、特許請求範囲に記載された範疇内で適切に変更可能である。
【産業上の利用可能性】
【００６５】
本発明は、緩速充電ケーブルに備えられた制御器を分解するか、破損せずに、ソフトウェアの更新を行うことができるソフトウェア更新装置及びソフトウェア更新方法を提供する。
【図１】
2021506029.tif 000003
【図２】
2021506029.tif 000004
【図３】
2021506029.tif 000005
【図４】
2021506029.tif 000006
【国際調査報告】
2021506029.tif 000007
2021506029.tif 000008
2021506029.tif 000009
2021506029.tif 000010